(57)【要約】【課題】心電・血流・血圧・筋電等のバイタルサイン情報と、脳波計・脳磁界等の情報を複合して取得できるセンサデバイスを使用し、意思伝達の手段にはファジー学習ベクトル量子化法（ＦＬＶＱ）を用いることにより、意思伝達の困難な対象者とのコミュニケーションを可能としたバイタルサイン計測システム及び計測方法を提供する。【解決手段】このバイタルサイン計測システムは、被験者１と、この被験者１の脳波（６チャネル）を測定するための脳波計２と、被験者１の血流（１チャネル）を測定する血流計３と、被験者１の心電（１チャネル）を測定する心電計４と、各チャネルの信号を纏めるコネクタ部５と、このコネクタ部５から出力された各信号（アナログ信号）６をデジタル信号に変換するＡ／Ｄ変換部７と、Ａ／Ｄ変換部７により変換されたデジタル信号８を演算処理するパーソナルコンピュータＰＣ９と、演算結果を表示する表示部１０とを備えて構成される。【選択図】      図３
2004337294.tif 000002
【特許請求の範囲】
【請求項１】
被験者のバイタルサイン情報を検出する複数のセンサ部と、該複数のセンサ部から取得した各信号をデジタル信号に変換するＡ／Ｄ変換部と、該Ａ／Ｄ変換部により変換されたデジタル信号をサンプリングして演算処理する演算処理部と、該演算処理部の演算結果を表示する演算結果表示部と、を備え、
前記被験者のバイタルサイン情報の変化を前記演算処理部により分類整理することにより、前記被験者の潜在的若しくは顕在的な心理変化を読み取って、該被験者との意思の疎通を可能としたことを特徴とするバイタルサイン計測システム。
【請求項２】
前記演算処理部は、ファジー学習ベクトル量子化法（ＦＬＶＱ）により、複数の比較項目から得られた被験者のバイタルサイン情報と該被験者が学習後に前記バイタルサイン情報を元に認識した情報の類似度を演算し、該類似度の差を強調するために前記各比較項目の軸方向類似度の最小値を前記被験者の意思として認識することを特徴とする請求項１に記載のバイタルサイン計測システム。
【請求項３】
前記ファジー学習ベクトル量子化法（ＦＬＶＱ）の基本単位をＰＥｉ、ｎ次元の入力ファジーベクトルをｘ＝（ｘ１，、ｘ２，・・・ｘｊ，・・，ｘｎ）と表し、前記ｘのｊ軸方向成分をファジー数とし、該ファジー数のメンバシップ関数をｈｘｊ（ｕｊ）とし、また、ｉ番目の参照ベクトルをｍｉ＝（ｍｉ１，・・・、ｍｉｊ，・・・，ｍｉｎ）（但し、ｉ＝１，２，・・・，ｋ）と表し、該メンバシップ関数をｈｍｉｊ（ｕｊ）としたとき、前記ＰＥｉは前記ｎ次元の全ての方向について、前記入力ファジーベクトルｘと参照ベクトルｍｉとのｊ軸方向の類似度をμｉｊ＝ｍａｘｕｊ｛ｈｘｊ（ｕｊ）＾ｈｍｉｊ（ｕｊ）｝（但し、＾は実数ａ，ｂに対してａ＾ｂ＝ｍｉｎ｛ａ，ｂ｝を意味する演算子）として定義すると、前記入力ファジーベクトルｘと参照ベクトルｍｉの類似度は、該類似度の差を強調するために、μｉ＝ｍｉｎｊ｛μｉｊ｝にて表される各方向の類似度の最小値であることを特徴とする請求項１に記載のバイタルサイン計測システム。
【請求項４】
前記複数の比較項目は、前記被験者が複数の音源を聞く前、聞いている最中、聞いた後、聞く前の変動差、聞いている最中の変動差、聞いた後の変動差、聞く前と聞いている最中との差、及び聞く前と聞いた後との差による各心電データと、聞く前及び聞いている最中の血流データであることを特徴とする請求項１に記載のバイタルサイン計測システム。
【請求項５】
前記複数の音源は、無意味な音、不快な音、及び心地よい音であることを特徴とする請求項４に記載のバイタルサイン計測システム。
【請求項６】
前記演算処理部は、前記無意味な音、不快な音、及び心地よい音を前記ＰＥｉのカテゴリーとし、前記心電データ及び血流データを前記参照ベクトルとし、且つ該参照ベクトルの次元数を前記複数の比較項目とし、前記カテゴリー、参照ベクトル及び比較項目に基づいて演算することを特徴とする請求項１乃至５の何れか一項に記載のバイタルサイン計測システム。
【請求項７】
前記被験者のバイタルサイン情報の取得手順は、前記複数の音源の何れか１つの音源をセットし、前記音源を所定の時間聞かせない状態で前記各バイタルサイン情報を取得し、続いて前記セットされた音源を所定の時間聞かせた状態で前記各バイタルサイン情報を取得し、更に前記音源を所定の時間聞かせない状態で前記各バイタルサイン情報を取得し、所定時間経過後、前記手順と同様の状態により前記カテゴリーの数だけ各バイタルサイン情報を取得することを特徴とする請求項１乃至６の何れか一項に記載のバイタルサイン計測システム。
【請求項８】
前記演算処理部は、前記各カテゴリーの参照ベクトルを入力後、１つ目の入力ファジーベクトルを入力し、前記参照ベクトルと入力ファジーベクトルの交点の最大値を求め、これらの最大値を肯定学習関数に入力した結果、交点があり且つ学習が正しい場合、正答学習を行い前記参照ベクトルのみをｍｃｊ（ｔ＋１）＝β（ｔ）＊ｍｃｊ（ｔ）＋α（ｔ）［｛１−μｃｊ（ｔ）｝＊｛｜ｘｊ（ｔ）−ｍｃｊ（ｔ）｜｝］（但し、β（ｔ）＝０．９９、α（ｔ）＝０．９９９＊α（ｔ−１），α（０）＝０．１）により更新し、該更新を前記各カテゴリーについて同様に行うと共に、クリプス関数値を更新して学習回数を繰り返すことを特徴とする請求項１に記載のバイタルサイン計測システム。
【請求項９】
前記演算処理部は、前記各カテゴリーの参照ベクトルを入力後、１つ目の入力ファジーベクトルを入力し、前記参照ベクトルと入力ファジーベクトルの交点の最大値を求め、これらの最大値を肯定学習関数に入力した結果、交点がない場合、全ての参照ベクトルをｍｉｊ（ｔ＋１）＝δ（ｔ）＊ｍｉｊ（ｔ）（ｉ＝１，・・・，ｋ）（但し、δ（ｔ）＝１．１）により更新し、該更新を前記各カテゴリーについて同様に行うと共に、クリプス関数値を更新して学習回数を繰り返すことを特徴とする請求項１に記載のバイタルサイン計測システム。
【請求項１０】
前記演算処理部は、前記各カテゴリーの参照ベクトルを入力後、１つ目の入力ファジーベクトルを入力し、前記参照ベクトルと入力ファジーベクトルの交点の最大値を求め、これらの最大値を肯定学習関数に入力した結果、交点があり且つ学習が正しくない場合、誤答学習を行い前記交点の値が最大であった参照ベクトルのみをｍｃｊ（ｔ＋１）＝γ（ｔ）＊ｍｃｊ（ｔ）−α（ｔ）［｛１−μｃｊ（ｔ）｝＊｛｜ｘｊ（ｔ）−ｍｃｊ（ｔ）｜｝］（但し、α（ｔ）＝０．９９９＊α（ｔ−１）、α（０）＝０．１、γ（ｔ）＝１−α（ｔ））により更新し、該更新を前記各カテゴリーについて同様に行うと共に、クリプス関数値を更新して学習回数を繰り返すことを特徴とする請求項１に記載のバイタルサイン計測システム。
【請求項１１】
前記演算処理部は、前記学習を所定の回数繰り返した後、前記入力ファジーベクトルを入力し、前記各カテゴリーの参照ベクトルと入力ファジーベクトルとの交点を求め、該交点の最大値を認識結果として前記演算結果表示部に表示することを特徴とする請求項１に記載のバイタルサイン計測システム。
【請求項１２】
被験者のバイタルサイン情報を検出する検出ステップと、該検出ステップにより取得した各信号をデジタル信号に変換するＡ／Ｄ変換ステップと、該Ａ／Ｄ変換ステップにより変換されたデジタル信号をサンプリングして演算処理する演算処理ステップと、該演算処理ステップの結果を表示する演算結果表示ステップとを備え、
前記被験者のバイタルサイン情報の変化を前記演算処理ステップにより分類整理することにより、前記被験者の潜在的若しくは顕在的な心理変化を読み取って、該被験者との意思の疎通を可能としたことを特徴とするバイタルサイン計測方法。
【請求項１３】
前記演算処理ステップは、ファジー学習ベクトル量子化法（ＦＬＶＱ）により、複数の比較項目から得られた被験者のバイタルサイン情報と該被験者が学習後に前記バイタルサイン情報を元に認識した情報の類似度を演算し、該類似度の差を強調するために前記各比較項目の軸方向類似度の最小値を前記被験者の意思として認識することを特徴とする請求項１２に記載のバイタルサイン計測方法。
【請求項１４】
前記ファジー学習ベクトル量子化法（ＦＬＶＱ）の基本単位をＰＥｉ、ｎ次元の入力ファジーベクトルをｘ＝（ｘ１，ｘ２，・・・ｘｊ，・・・，ｘｎ）と表し、前記ｘのｊ軸方向成分をファジー数とし、該ファジー数のメンバシップ関数をｈｘｊ（ｕｊ）とし、また、ｉ番目の参照ベクトルをｍｉ＝（ｍｉ１，・・・，ｍｉｊ，・・・，ｍｉｎ）（但し、ｉ＝１，２，・・・，ｋ）と表し、該メンバシップ関数をｈｍｉｊ（ｕｊ）としたとき、前記ＰＥｉは前記ｎ次元の全ての方向について、前記入力ファジーベクトルｘと参照ベクトルｍｉとのｊ軸方向の類似度をμｉｊ＝ｍａｘｕｊ｛ｈｘｊ（ｕｊ）＾ｈｍｉｊ（ｕｊ）｝（但し、＾は実数ａ、ｂに対してａ＾ｂ＝ｍｉｎ｛ａ、ｂ｝を意味する演算子）として定義すると、前記入力ファジーベクトルｘと参照ベクトルｍｉの類似度は、該類似度の差を強調するために、μｉ＝ｍｉｎｊ｛μｉｊ｝にて表される各方向の類似度の最小値であることを特徴とする請求項１２に記載のバイタルサイン計測方法。
【請求項１５】
前記複数の比較項目は、前記被験者が複数の音源を聞く前、聞いている最中、聞いた後、聞く前の変動差、聞いている最中の変動差、聞いた後の変動差、聞く前と聞いている最中との差、及び聞く前と聞いた後との差による各心電データと、聞く前及び聞いている最中の血流データであることを特徴とする請求項１１に記載のバイタルサイン計測方法。
【請求項１６】
前記複数の音源は、無意味な音、不快な音、及び心地よい音であることを特徴とする請求項１５に記載のバイタルサイン計測方法。
【請求項１７】
前記演算処理ステップは、前記無意味な音、不快な音、及び心地よい音を前記ＰＥｉのカテゴリーとし、前記心電データ及び血流データを前記参照ベクトルとし、且つ該参照ベクトルの次元数を前記複数の比較項目とし、前記カテゴリー、参照ベクトル及び比較項目に基づいて演算することを特徴とする請求項１２乃至１６の何れか一項に記載のバイタルサイン計測方法。
【請求項１８】
前記被験者のバイタルサイン情報の取得手順は、前記複数の音源の何れか１つの音源をセットし、前記音源を所定の時間聞かせない状態で前記各バイタルサイン情報を取得し、続いて前記セットされた音源を所定の時間聞かせた状態で前記各バイタルサイン情報を取得し、更に前記音源を所定の時間聞かせない状態で前記各バイタルサイン情報を取得し、所定時間経過後、前記手順と同様の状態により前記カテゴリーの数だけ各バイタルサイン情報を取得することを特徴とする請求項１２乃至１７の何れか一項に記載のバイタルサイン計測方法。
【請求項１９】
前記演算処理ステップは、前記各カテゴリーの参照ベクトルを入力後、１つ目の入力ファジーベクトルを入力し、前記参照ベクトルと入力ファジーベクトルの交点の最大値を求め、これらの最大値を肯定学習関数に入力した結果、交点があり且つ学習が正しい場合、正答学習を行い前記参照ベクトルのみをｍｃｊ（ｔ＋１）＝β（ｔ）＊ｍｃｊ（ｔ）＋α（ｔ）［｛１−μｃｊ（ｔ）｝＊｛｜ｘｊ（ｔ）−ｍｃｊ（ｔ）｜｝］（但し、β（ｔ）＝０．９９、α（ｔ）＝０．９９９＊α（ｔ−１）、α（０）＝０．１）により更新し、該更新を前記各カテゴリーについて同様に行うと共に、クリプス関数値を更新して学習回数を繰り返すことを特徴とする請求項１２に記載のバイタルサイン計測方法。
【請求項２０】
前記演算処理ステップは、前記各カテゴリーの参照ベクトルを入力後、１つ目の入力ファジーベクトルを入力し、前記参照ベクトルと入力ファジーベクトルの交点の最大値を求め、これらの最大値を肯定学習関数に入力した結果、交点がない場合、全ての参照ベクトルをｍｉｊ（ｔ＋１）＝δ（ｔ）＊ｍｉｊ（ｔ）（ｉ＝１，・・・，ｋ）（但し、δ（ｔ）＝１．１）により更新し、該更新を前記各カテゴリーについて同様に行うと共に、クリプス関数値を更新して学習回数を繰り返すことを特徴とする請求項１２に記載のバイタルサイン計測方法。
【請求項２１】
前記演算処理ステップは、前記各カテゴリーの参照ベクトルを入力後、１つ目の入力ファジーベクトルを入力し、前記参照ベクトルと入力ファジーベクトルの交点の最大値を求め、これらの最大値を肯定学習関数に入力した結果、交点があり且つ学習が正しくない場合、誤答学習を行い前記交点の値が最大であった参照ベクトルのみをｍｃｊ（ｔ＋１）＝γ（ｔ）＊ｍｃｊ（ｔ）−α（ｔ）［｛１−μｃｊ（ｔ）｝＊｛｜ｘｊ（ｔ）−ｍｃｊ（ｔ）｜｝］（但し、α（ｔ）＝０．９９９＊α（ｔ−１）、α（０）＝０．１，γ（ｔ）＝１−α（ｔ））により更新し、該更新を前記各カテゴリーについて同様に行うと共に、クリプス関数値を更新して学習回数を繰り返すことを特徴とする請求項１２に記載のバイタルサイン計測方法。
【請求項２２】
前記演算処理ステップは、前記学習回数を所定の数繰り返した後、前記入力ファジーベクトルを入力し、前記各カテゴリーの参照ベクトルと入力ファジーベクトルとの交点を求め、該交点の最大値を認識結果として前記演算結果表示ステップにより表示することを特徴とする請求項１２に記載のバイタルサイン計測方法。
【請求項２３】
請求項１２乃至２２の何れか一項に記載のバイタルサイン計測方法をコンピュータが制御可能にプログラミングしたことを特徴とするバイタルサイン計測プログラム。
【請求項２４】
請求項２３に記載のバイタルサイン計測プログラムをコンピュータが読み取り可能な形式で記録したことを特徴とする記録媒体。
【発明の詳細な説明】
【０００１】
【発明の属する技術分野】
本発明は、バイタルサイン計測システムに関し、さらに詳しくは、心電及び血流等のバイタルサイン情報をファジー学習ベクトル量子化法（ＦＬＶＱ）により演算処理することにより、意思伝達が困難な対象者との意思疎通を可能としたバイタルサイン計測システム及びその方法に関するものである。
【０００２】
【従来の技術】
近年、医療・教育等の現場においては、会話や表情等による意思伝達が困難な対象者との間の意思疎通を十分に実現することが、治療、教育等の成果を高める上での非常に重要な課題となっている。例えば、医療現場においては、知的障害を持つ患者と医師との間での意思疎通が適切にできないことにより、患者に対する適切な処置が遅滞なくなされない事態が発生したり、或いは処置を間違えるといった重大な医療ミスが発生することがある。このように不十分な意思疎通に起因した不具合を未然に防止するためにも、患者と医師との間における正確な意思の疎通が医療現場においては必要不可欠である。しかし、このような不具合に対処するための適切な手法はこれまで開発されていない。意思疎通を促進するための機器の開発も一部見られるが、この機器を使用するための訓練や使用条件等に大きな制約を伴うのが現状である。
このような対象者のバイタルサインデータを利用した従来例として、特開２００２−１０９０６８公報には、バイタルサイン記憶手段に記憶された対象者のバイタルサインデータに基づいて、正常、やや異常だが治療には至らない、治療すべき異常の３種類に振り分け、日常的な指導をおこなう構成について開示されている。
また特開平５−４９６２６号公報には、心理的な評価だけでなく人間の生理データ（バイタルサインデータ）を利用して客観的にストレスを評価し、回復の方策を施すための方式について開示されている。それによると、評価作業の前後または最中に、生理データ連続変化計測、生理データ計測及び心理データ計測の各手段でデータを計測し、データを生理データ解析と心理データ解析で解析する。そしてストレス評価で生理的影響と心理的影響の両者からストレスを総合的に、かつ、定量的に評価し、評価結果を基に心理データ解析手段により評価対象者にストレス評価結果及び回復のための方策を与えるものである。
また、特開２００２−２９１７５２公報には、生体の自律神経系と代謝の機能を的確かつ簡便に解析することができる生体の自律神経系と代謝の機能解析システム及びそのコンピュータプログラムについて開示されている。この公報には、被験者の交感神経系を刺激する負荷を加える前後で測定された生体の酸素消費量、循環系の状態を表わす指標等を入力する入力装置と、負荷を加える前後の酸素消費量の差と循環系の状態を表わす指標の算出値の差を算出する制御装置と、処理された結果を出力する出力装置とを備えた構成が開示されている。データファイルには、生体の肥満の原因を評価するためのデータ等が記憶されている。算出された酸素消費量の差と循環系の状態を表わす指標の算出値の差とを用いて、記憶された評価のためのデータを検索し、それを使用して判定された評価結果を出力装置に出力するものである。
【特許文献１】特開２００２−１０９０６８公報
【特許文献２】特開平５−４９６２６号公報
【特許文献３】特開２００２−２９１７５２公報
【０００３】
【発明が解決しようとする課題】
しかしながら、特許文献１に記載の発明は、意思伝達が可能な健常者から取得したバイタルサインを利用して、その健常者の健康管理を行うものであり、これをそのまま意思伝達の困難な対象者に利用することは困難である。
また特許文献２に記載の発明は、バイタルサインを用いてストレスの度合いを評価するものであり、評価作業の前後または最中に、生理データ連続変化計測、生理データ計測及び心理データ計測の各手段でデータを計測し、そのデータを生理データ解析と心理データ解析で解析する点においてはデータの精度を高くすることができるが、あくまでも意思伝達が可能な健常者から取得したバイタルサインを利用してストレス評価を行うものであり、特許文献１の場合と同様に意思伝達の困難な対象者に利用することは困難である。
また特許文献３は、肥満患者の病理生理学的な状態を検査するものであり、被験者の交感神経系を刺激する負荷を加える前後で測定された生体の酸素消費量、循環系の状態を表わす指標等を入力することにより、算出された酸素消費量の差と循環系の状態を表わす指標の算出値の差とを用いて、記憶された評価のためのデータを検索し、それを使用して判定するものであるが、被験者の交感神経系を刺激する負荷が、意思伝達の困難な対象者に利用することができるか否かが不明である。
本発明は、かかる課題に鑑みてなされたものであり、心電・血流・血圧・筋電等のバイタルサイン情報と、脳波計・脳磁界等の情報を複合して取得できるセンサデバイスを使用し、意思伝達の手段にはファジー学習ベクトル量子化法（ＦＬＶＱ）を用いることにより、意思伝達の困難な対象者とのコミュニケーションを可能としたバイタルサイン計測システム及び計測方法を提供することを目的とする。
【０００４】
【課題を解決するための手段】
本発明はかかる課題を解決するために、請求項１は、被験者のバイタルサイン情報を検出する複数のセンサ部と、該複数のセンサ部から取得した各信号をデジタル信号に変換するＡ／Ｄ変換部と、該Ａ／Ｄ変換部により変換されたデジタル信号をサンプリングして演算処理する演算処理部と、該演算処理部の演算結果を表示する演算結果表示部とを備え、前記被験者のバイタルサイン情報の変化を前記演算処理部により分類整理することにより、前記被験者の潜在的若しくは顕在的な心理変化を読み取って、該被験者との意思の疎通を可能としたことを特徴とする。
従来の医療現場では、各専門医により患者のバイタルサインデータを計測器により測定して、その測定データから病名を特定していた。例えば、心臓外科医は心電図或いはＸ線造影から患部を特定するが、この過程で患者との問診により体調とか日常生活での行動等を聞き出し、更に細かいデータを得ることは医師と患者の意思の疎通を円滑にする点で必要不可欠である。しかし、この意思の疎通は知的障害を持つ患者の場合、直接本人から聞き出すことは困難である。そこで本発明では、被験者のバイタルサインデータに基づいて、被験者の潜在的若しくは顕在的な心理変化を読み取るために、複数のセンサから得られたデータを演算処理して被験者との意思の疎通を可能とするものである。
かかる発明によれば、被験者のバイタルサイン情報の変化を演算処理部により演算して分類整理するので、被験者の潜在的若しくは顕在的な心理変化を客観的に読み取ることができる。
【０００５】
請求項２は、前記演算処理部は、ファジー学習ベクトル量子化法（ＦＬＶＱ）により、複数の比較項目から得られた被験者のバイタルサイン情報と該被験者が学習後に前記バイタルサイン情報を元に認識した情報の類似度を演算し、該類似度の差を強調するために前記各比較項目の軸方向類似度の最小値を前記被験者の意思として認識することを特徴とする。
ファジー学習ベクトル量子化法（ＦＬＶＱ）は、学習ベクトル量子化法（ＬＶＱ）にファジー理論を導入したものである。つまり、入力ファジーベクトルと学習により得られた参照ベクトルとの類似度を演算し、その軸方向の類似度を定義し、この類似度の差を強調するために、各方向の類似度の最小値を被験者の意思として認識するものである。
かかる発明によれば、ファジー学習ベクトル量子化法（ＦＬＶＱ）により、類似度の差を強調するために、軸方向類似度の最小値を前記被験者の意思として認識するので、多くの次元から得た入力ファジーベクトルから１つの結論を導いてより正確な被験者の意思を認識することができる。
請求項３は、前記ファジー学習ベクトル量子化法（ＦＬＶＱ）の基本単位をＰＥｉ、ｎ次元の入力ファジーベクトルをｘ＝（ｘ１，ｘ２，・・・ｘｊ，・・・，ｘｎ）と表し、前記ｘのｊ軸方向成分をファジー数とし、該ファジー数のメンバシップ関数をｈｘｊ（ｕｊ）とし、また、ｉ番目の参照ベクトルをｍｉ＝（ｍｉ１，・・・，ｍｉｊ，・・・，ｍｉｎ）（但し、ｉ＝１，２，・・・，ｋ）と表し、該メンバシップ関数をｈｍｉｊ（ｕｊ）としたとき、前記ＰＥｉは前記ｎ次元の全ての方向について、前記入力ファジーベクトルｘと参照ベクトルｍｉとのｊ軸方向の類似度をμｉｊ＝ｍａｘｕｊ｛ｈｘｊ（ｕｊ）＾ｈｍｉｊ（ｕｊ）｝（但し、＾は実数ａ，ｂに対してａ＾ｂ＝ｍｉｎ｛ａ，ｂ｝を意味する演算子）として定義すると、前記入力ファジーベクトルｘと参照ベクトルｍｉの類似度は、該類似度の差を強調するために、μｉ＝ｍｉｎｊ｛μｉｊ｝にて表される各方向の類似度の最小値であることを特徴とする。
ファジー数のメンバシップ関数をｈｘｊ（ｕｊ）と表し、ｉ番目の参照ベクトルのメンバシップ関数をｈｍｉｊ（ｕｊ）としたとき、入力ファジーベクトルｘと参照ベクトルｍｉとのｊ軸方向の類似度をμｉｊ＝ｍａｘｕｊ｛ｈｘｊ（ｕｊ）＾ｈｍｉｊ（ｕｊ）｝として定義すると、入力ファジーベクトルｘと参照ベクトルｍｉの類似度は、μｉ＝ｍｉｎｊ｛μｉｊ｝にて表される。
かかる発明によれば、ファジー数のメンバシップ関数とｉ番目の参照ベクトルのメンバシップ関数の論理積の最大値が、入力ファジーベクトルｘと参照ベクトルｍｉとのｊ軸方向の類似度となるので、この類似度の差を強調するために、各軸方向の類似度の最小値を被験者の意思として認識することができる。
【０００６】
請求項４は、前記複数の比較項目は、前記被験者が複数の音源を聞く前、聞いている最中、聞いた後、聞く前の変動差、聞いている最中の変動差、聞いた後の変動差、聞く前と聞いている最中との差、及び聞く前と聞いた後との差による各心電データと、聞く前及び聞いている最中の血流データであることを特徴とする。
ここで、「聞く前の変動差」とは、人の心電の動きは一定ではなく、その動きを音を聞く前の所定の時間（例えば、１０秒間）にどれ位変化したかをいう。以下、聞いている最中の変動差、聞いた後の変動差も同様とする。そして本発明では、これらの１０項目を比較項目とし、且つ入力ファジーベクトルとして入力する。
かかる発明によれば、心電データとして８項目、血流データとして２項目の計１０項目を比較項目とするので、比較的簡単なバイタルサインデータから類似度の演算を行うことができ、システムのコストを低減することができる。
請求項５は、前記複数の音源は、無意味な音、不快な音、及び心地よい音であることを特徴とする。
データを取得する場合、音源としては感情の差がはっきり出て、しかも普遍的に同じ感情を抱く音源を使用するのが好ましい。例えば、感覚的に無意味な音としてＦＭノイズ音、不快な音として高周波ノイズ、心地良い音として和音が適している。
かかる発明によれば、音源として無意味な音、不快な音、及び心地よい音を使用するので、データの信頼性が高くなり、被験者が代わっても同じ傾向の結果を引き出すことができる。
【０００７】
請求項６は、前記演算処理部は、前記無意味な音、不快な音、及び心地よい音を前記ＰＥｉのカテゴリーとし、前記心電データ及び血流データを前記参照ベクトルとし、且つ該参照ベクトルの次元数を前記複数の比較項目とし、前記カテゴリー、参照ベクトル及び比較項目に基づいて演算することを特徴とする。
本発明では、ファジー学習ベクトル量子化法（ＦＬＶＱ）の基本単位ＰＥｉのカテゴリーｉを、ｉ＝１：無意味な音、ｉ＝２：不快な音、ｉ＝３：心地よい音とし、心電データ及び血流データが参照ベクトルｍｉｊとなり、１０個の比較項目が１０次元の次元数ｎとなる。そしてこれらのデータに基づいてファジー学習ベクトル量子化法（ＦＬＶＱ）により演算を行うものである。
かかる発明によれば、カテゴリーｉを３、参照ベクトルｍｉｊ、次元数ｎを１０により演算を行うので、各カテゴリーごとに各軸方向の類似度の最小値を被験者の意思として認識することができる。
請求項７は、前記被験者のバイタルサイン情報の取得手順は、前記複数の音源の何れか１つの音源をセットし、前記音源を所定の時間聞かせない状態で前記各バイタルサイン情報を取得し、続いて前記セットされた音源を所定の時間聞かせた状態で前記各バイタルサイン情報を取得し、更に前記音源を所定の時間聞かせない状態で前記各バイタルサイン情報を取得し、所定時間経過後、前記手順と同様の状態により前記カテゴリーの数だけ各バイタルサイン情報を取得することを特徴とする。
本発明による被験者のバイタルサイン情報の取得手順は、まず所定の時間（例えば１０秒間）何も聞かせない状態で１０項目の比較項目のデータを取得する。次に、例えば１０秒間「無意味な音」を聞かせた状態で１０項目の比較項目のデータを取得する。次に、例えば１０秒間何も聞かせない状態で１０項目の比較項目のデータを取得して、例えば１０分間休憩する。これを１セットとし、次に音源を「不快な音」に変更して前記と同じように繰り返し、最後に「心地よい音」に変更して同じように繰り返す。つまり、音源を３種類に変えて３セット行うことにより、３０種類のバイタルサインデータを取得することができる。
かかる発明によれば、３種類の音源による聞く前、聞いている最中、聞いた後のバイタルサインデータを同じ条件で取得するので、データの信頼性が高まると共に、再現性のある測定方法を確立することができる。
【０００８】
請求項８は、前記演算処理部は、前記各カテゴリーの参照ベクトルを入力後、１つ目の入力ファジーベクトルを入力し、前記参照ベクトルと入力ファジーベクトルの交点の最大値を求め、これらの最大値を肯定学習関数に入力した結果、交点があり且つ学習が正しい場合、正答学習を行い前記参照ベクトルのみをｍｃｊ（ｔ＋１）＝β（ｔ）＊ｍｃｊ（ｔ）＋α（ｔ）［｛１−μｃｊ（ｔ）｝＊｛｜ｘｊ（ｔ）−ｍｃｊ（ｔ）｜｝］（但し、β（ｔ）＝０．９９、α（ｔ）＝０．９９９＊α（ｔ−１）、α（０）＝０．１）により更新し、該更新を前記各カテゴリーについて同様に行うと共に、クリプス関数値を更新して学習回数を繰り返すことを特徴とする。
学習は、参照ベクトルの更新という形で行われる。いま、Ｃｘを教師ベクトルデータｘのカテゴリーとし、Ｃｃを最大類似度ベクトルｍｃに属するカテゴリーとする。そのとき、学習回数ｔにおいて、教師ベクトルデータであるＣｘを用いてＣｘ＝Ｃｃの場合（正答学習）、ｍｃｊ（ｔ＋１）＝β（ｔ）＊ｍｃｊ（ｔ）＋α（ｔ）［｛１−μｃｊ（ｔ）｝＊｛｜ｘｊ（ｔ）−ｍｃｊ（ｔ）｜｝］（但し、β（ｔ）＝０．９９、α（ｔ）＝０．９９９＊α（ｔ−１）、α（０）＝０．１）のように参照ベクトルの更新を行う。尚、α（ｔ）は時間単調減少関数、β（ｔ）は拡張原理に基づく演算による曖昧さの増加を防ぐ減少項である。
かかる発明によれば、正答学習の場合、ｍｃｊ（ｔ＋１）＝β（ｔ）＊ｍｃｊ（ｔ）＋α（ｔ）により参照ベクトルの更新を行うので、学習により正答した場合メンバシップ関数のグレードを高めることができる。
請求項９は、前記演算処理部は、前記各カテゴリーの参照ベクトルを入力後、１つ目の入力ファジーベクトルを入力し、前記参照ベクトルと入力ファジーベクトルの交点の最大値を求め、これらの最大値を肯定学習関数に入力した結果、交点がない場合、全ての参照ベクトルをｍｉｊ（ｔ＋１）＝δ（ｔ）＊ｍｉｊ（ｔ）（ｉ＝１，・・・，ｋ）（但し、δ（ｔ）＝１．１）により更新し、該更新を前記各カテゴリーについて同様に行うと共に、クリプス関数値を更新して学習回数を繰り返すことを特徴とする。
参照ベクトルと入力ファジーベクトルの交点の最大値を求め、これらの最大値を肯定学習関数に入力した結果、交点がない場合、ｍｉｊ（ｔ＋１）＝δ（ｔ）＊ｍｉｊ（ｔ）（ｉ＝１，・・・，ｋ）により全ての参照ベクトルの更新を行う。尚、δ（ｔ）は曖昧さの増加項である。
かかる発明によれば、参照ベクトルと入力ファジーベクトルの交点の最大値を肯定学習関数に入力した結果、交点がない場合、ｍｉｊ（ｔ＋１）＝δ（ｔ）＊ｍｉｊ（ｔ）（ｉ＝１，・・・，ｋ）により全ての参照ベクトルの更新を行うので、学習が正しいか否かを判断する必要がなくなり、計算結果を速く出力することができる。
【０００９】
請求項１０は、前記演算処理部は、前記各カテゴリーの参照ベクトルを入力後、１つ目の入力ファジーベクトルを入力し、前記参照ベクトルと入力ファジーベクトルの交点の最大値を求め、これらの最大値を肯定学習関数に入力した結果、交点があり且つ学習が正しくない場合、誤答学習を行い前記交点の値が最大であった参照ベクトルのみをｍｃｊ（ｔ＋１）＝γ（ｔ）＊ｍｃｊ（ｔ）−α（ｔ）［｛１−μｃｊ（ｔ）｝＊｛｜ｘｊ（ｔ）−ｍｃｊ（ｔ）｜｝］（但し、α（ｔ）＝０．９９９＊α（ｔ−１）、α（０）＝０．１、γ（ｔ）＝１−α（ｔ））により更新し、該更新を前記各カテゴリーについて同様に行うと共に、クリプス関数値を更新して学習回数を繰り返すことを特徴とする。
学習は、参照ベクトルの更新という形で行われる。いま、Ｃｘを教師ベクトルデータｘのカテゴリーとし、Ｃｃを最大類似度ベクトルｍｃに属するカテゴリーとする。そのとき、学習回数ｔにおいて、教師ベクトルデータであるＣｘを用いてＣｘとＣｃが等しくない場合（誤答学習）、ｍｃｊ（ｔ＋１）＝γ（ｔ）＊ｍｃｊ（ｔ）−α（ｔ）［｛１−μｃｊ（ｔ）｝＊｛｜ｘｊ（ｔ）−ｍｃｊ（ｔ）｜｝］（但し、α（ｔ）＝０．９９９＊α（ｔ−１）、α（０）＝０．１、γ（ｔ）＝１−α（ｔ））のように参照ベクトルの更新を行う。尚、γ（ｔ）は拡張原理に基づく演算による曖昧さの増加を防ぐ減少項である。
かかる発明によれば、誤答学習の場合、ｍｃｊ（ｔ＋１）＝γ（ｔ）＊ｍｃｊ（ｔ）−α（ｔ）［｛１−μｃｊ（ｔ）｝＊｛｜ｘｊ（ｔ）−ｍｃｊ（ｔ）｜｝］により参照ベクトルの更新を行うので、学習により誤答した場合メンバシップ関数のグレードを低くすることができる。
【００１０】
請求項１１は、前記演算処理部は、前記学習を所定の回数繰り返した後、前記入力ファジーベクトルを入力し、前記各カテゴリーの参照ベクトルと入力ファジーベクトルとの交点を求め、該交点の最大値を認識結果として前記演算結果表示部に表示することを特徴とする。
学習を繰り返した後、入力ファジーベクトルを入力して学習後の参照ベクトルとの類似度の変化をみる。そして類似度が最大になる交点を認識結果として表示する。
かかる発明によれば、学習後の参照ベクトルと入力ファジーベクトルの類似度の交点の最大値を認識結果とするので、認識結果の精度を高めることができる。
請求項１２は、被験者のバイタルサイン情報を検出する検出ステップと、該検出ステップにより取得した各信号をデジタル信号に変換するＡ／Ｄ変換ステップと、該Ａ／Ｄ変換ステップにより変換されたデジタル信号をサンプリングして演算処理する演算処理ステップと、該演算処理ステップの結果を表示する演算結果表示ステップとを備え、前記被験者のバイタルサイン情報の変化を前記演算処理ステップにより分類整理することにより、前記被験者の潜在的若しくは顕在的な心理変化を読み取って、該被験者との意思の疎通を可能としたことを特徴とする。
かかる発明によれば、請求項１と同様の作用効果を奏する。
請求項１３は、前記演算処理ステップは、ファジー学習ベクトル量子化法（ＦＬＶＱ）により、複数の比較項目から得られた被験者のバイタルサイン情報と該被験者が学習後に前記バイタルサイン情報を元に認識した情報の類似度を演算し、該類似度の差を強調するために前記各比較項目の軸方向類似度の最小値を前記被験者の意思として認識することを特徴とする。
かかる発明によれば、請求項２と同様の作用効果を奏する。
【００１１】
請求項１４は、前記ファジー学習ベクトル量子化法（ＦＬＶＱ）の基本単位をＰＥｉ、ｎ次元の入力ファジーベクトルをｘ＝（ｘ１，ｘ２，・・・ｘｊ，・・・，ｘｎ）と表し、前記ｘのｊ軸方向成分をファジー数とし、該ファジー数のメンバシップ関数をｈｘｊ（ｕｊ）とし、また、ｉ番目の参照ベクトルをｍｉ＝（ｍｉ１，・・・，ｍｉｊ，・・・，ｍｉｎ）（但し、ｉ＝１，２，・・・，ｋ）と表し、該メンバシップ関数をｈｍｉｊ（ｕｊ）としたとき、前記ＰＥｉは前記ｎ次元の全ての方向について、前記入力ファジーベクトルｘと参照ベクトルｍｉとのｊ軸方向の類似度をμｉｊ＝ｍａｘｕｊ｛ｈｘｊ（ｕｊ）＾ｈｍｉｊ（ｕｊ）｝（但し、＾は実数ａ、ｂに対してａ＾ｂ＝ｍｉｎ｛ａ，ｂ｝を意味する演算子）として定義すると、前記入力ファジーベクトルｘと参照ベクトルｍｉの類似度は、該類似度の差を強調するために、μｉ＝ｍｉｎｉｊ｛μｉｊ｝にて表される各方向の類似度の最小値であることを特徴とする。
かかる発明によれば、請求項３と同様の作用効果を奏する。
請求項１５は、前記複数の比較項目は、前記被験者が複数の音源を聞く前、聞いている最中、聞いた後、聞く前の変動差、聞いている最中の変動差、聞いた後の変動差、聞く前と聞いている最中との差、及び聞く前と聞いた後との差による各心電データと、聞く前及び聞いている最中の血流データであることを特徴とする。
かかる発明によれば、請求項４と同様の作用効果を奏する。
請求項１６は、前記複数の音源は、無意味な音、不快な音、及び心地よい音であることを特徴とする。
かかる発明によれば、請求項５と同様の作用効果を奏する。
請求項１７は、前記演算処理ステップは、前記無意味な音、不快な音、及び心地よい音を前記ＰＥｉのカテゴリーとし、前記心電データ及び血流データを前記参照ベクトルとし、且つ該参照ベクトルの次元数を前記複数の比較項目とし、前記カテゴリー、参照ベクトル及び比較項目に基づいて演算することを特徴とする。
かかる発明によれば、請求項６と同様の作用効果を奏する。
【００１２】
請求項１８は、前記被験者のバイタルサイン情報の取得手順は、前記複数の音源の何れか１つの音源をセットし、前記音源を所定の時間聞かせない状態で前記各バイタルサイン情報を取得し、続いて前記セットされた音源を所定の時間聞かせた状態で前記各バイタルサイン情報を取得し、更に前記音源を所定の時間聞かせない状態で前記各バイタルサイン情報を取得し、所定時間経過後、前記手順と同様の状態により前記カテゴリーの数だけ各バイタルサイン情報を取得することを特徴とする。
かかる発明によれば、請求項７と同様の作用効果を奏する。
請求項１９は、前記演算処理ステップは、前記各カテゴリーの参照ベクトルを入力後、１つ目の入力ファジーベクトルを入力し、前記参照ベクトルと入力ファジーベクトルの交点の最大値を求め、これらの最大値を肯定学習関数に入力した結果、交点があり且つ学習が正しい場合、正答学習を行い前記参照ベクトルのみをｍｃｊ（ｔ＋１）＝β（ｔ）＊ｍｃｊ（ｔ）＋α（ｔ）［｛１−μｃｊ（ｔ）｝＊｛｜ｘｊ（ｔ）−ｍｃｊ（ｔ）｜｝］（但し、β（ｔ）＝０．９９、α（ｔ）＝０．９９９＊α（ｔ−１）、α（０）＝０．１）により更新し、該更新を前記各カテゴリーについて同様に行うと共に、クリプス関数値を更新して学習回数を繰り返すことを特徴とする。
かかる発明によれば、請求項８と同様の作用効果を奏する。
請求項２０は、前記演算処理ステップは、前記各カテゴリーの参照ベクトルを入力後、１つ目の入力ファジーベクトルを入力し、前記参照ベクトルと入力ファジーベクトルの交点の最大値を求め、これらの最大値を肯定学習関数に入力した結果、交点がない場合、全ての参照ベクトルをｍｉｊ（ｔ＋１）＝γ（ｔ）＊ｍｉｊ（ｔ）（ｉ＝１，・・・，ｋ）（但し、γ（ｔ）＝１．１）により更新し、該更新を前記各カテゴリーについて同様に行うと共に、クリプス関数値を更新して学習回数を繰り返すことを特徴とする。
かかる発明によれば、請求項９と同様の作用効果を奏する。
【００１３】
請求項２１は、前記演算処理ステップは、前記各カテゴリーの参照ベクトルを入力後、１つ目の入力ファジーベクトルを入力し、前記参照ベクトルと入力ファジーベクトルの交点の最大値を求め、これらの最大値を肯定学習関数に入力した結果、交点があり且つ学習が正しくない場合、誤答学習を行い前記交点の値が最大であった参照ベクトルのみをｍｃｊ（ｔ＋１）＝γ（ｔ）＊ｍｃｊ（ｔ）−α（ｔ）［｛１−μｃｊ（ｔ）｝＊｛｜ｘｊ（ｔ）−ｍｃｊ（ｔ）｜｝］（但し、α（ｔ）＝０．９９９＊α（ｔ−１）、α（０）＝０．１、γ（ｔ）＝１−α（ｔ））により更新し、該更新を前記各カテゴリーについて同様に行うと共に、クリプス関数値を更新して学習回数を繰り返すことを特徴とする。
かかる発明によれば、請求項１０と同様の作用効果を奏する。
請求項２２は、前記演算処理ステップは、前記学習回数を所定の数繰り返した後、前記入力ファジーベクトルを入力し、前記各カテゴリーの参照ベクトルと入力ファジーベクトルとの交点を求め、該交点の最大値を認識結果として前記演算結果表示ステップにより表示することを特徴とする。
かかる発明によれば、請求項１１と同様の作用効果を奏する。
請求項２３は、請求項１２乃至２２の何れか一項に記載のバイタルサイン計測方法をコンピュータが制御可能にプログラミングしたことを特徴とする。
かかる発明によれば、本発明のバイタルサイン計測方法をコンピュータが制御可能なＯＳに従ってプログラミングすることにより、そのＯＳを備えたコンピュータであれば同じ処理方法により制御することができる。
請求項２４は、請求項２３に記載のバイタルサイン計測プログラムをコンピュータが読み取り可能な形式で記録したことを特徴とする。
かかる発明によれば、バイタルサイン計測プログラムをコンピュータが読み取り可能な形式で記録媒体に記録することにより、この記録媒体を持ち運ぶことにより何処でもプログラムを稼動することができる。
【００１４】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
本発明は、心電・血流・血圧等のバイタルサイン情報と、脳波計・脳磁界等の情報を複合して取得できるセンサデバイスにより、意思伝達の困難な対象者とのコミュニケーションを可能としたバイタルサイン計測システムに関するものである。そして意思伝達のための手段としては、ファジー学習ベクトル量子化法（以下、ＦＬＶＱと記す）を用いる。そこで、先ずＦＬＶＱの概略の説明をしておくことが、本発明を理解する上で有用と考える。
【００１５】
図１は、本発明のバイタルサインデータを演算するＦＬＶＱの基本概念を説明するための正規三角ファジー数の図である。縦軸に類似度μのグレードを表し、横軸にファジー数ｕｉを表す。図１（ａ）はメンバシップ関数の最大値が１となる正規三角ファジー数の図であり、図１（ｂ）は２つのファジー数間の類似度を表す図である。ＦＬＶＱは、公知の通りＫｏｈｏｎｅｎの提案した学習ベクトル量子化法（ＬＶＱ）にファジー理論を導入したものである。それにより、従来ニューラルネットワークでは困難な未知学習カテゴリーの判別を可能にしている。ここで用いるファジー数は、図１（ａ）に示すようなメンバシップ関数の最大値が１となる正規三角ファジー数であり、すそ野が広ければ曖昧さが大きくなることを表している。また、この方法においては、あいまい量を扱うためにファジー数で構成したベクトルを用い、これをＦＬＶＱの入力及び参照ベクトルとする。ファジーベクトルに用いるファジー数は、図１（ｂ）に示すようなメンバシップ関数の最大値が１となる正規三角ファジー数であり、例えば、ファジー数が異なるメンバシップ関数Ａ２１とＢ２２の正規三角ファジー数が、交点Ｐを持つように交差した場合、交差した三角形２０がＡとＢの論理積となり、そのときの類似度はμとなる。そして三角形ＡとＢの交点Ｐの位置が上に行くほど類似度が大きくなることを表している。
【００１６】
図２は、ＦＬＶＱの基本単位であるＰＥ（Ｐｒｏｃｅｓｓｉｎｇ  Ｅｌｅｍｅｎｔ）を説明する図である。ＦＬＶＱの基本単位ＰＥｉは、ｎ次元の入力ファジーベクトルｘを、
ｘ＝（ｘ１，ｘ２，・・・ｘｊ，・・・，ｘｎ）・・・（１）
と表す。ここでｘのｊ軸方向成分はファジー数とし、そのファジー数のメンバシップ関数をｈｘｊ（ｕｊ）とする。また、ｉ番目の参照ベクトルｍｉを、
ｍｉ＝（ｍｉ１，・・・，ｍｉｊ，・・・，ｍｉｎ）・・・（２）
（但し、ｉ＝１、２、・・・、ｋ）と表し、そのメンバシップ関数をｈｍｉｊ（ｕｊ）とする。このときＰＥｉはｎ次元の全ての方向について、入力ファジーベクトルｘと参照ベクトルｍｉとのｊ軸方向の類似度μｉｊを、
μｉｊ＝ｍａｘｕｊ｛ｈｘｊ（ｕｊ）＾ｈｍｉｊ（ｕｊ）｝・・・（３）
として定義できる。ここで、＾は実数ａ，ｂに対して
ａ＾ｂ＝ｍｉｎ｛ａ，ｂ｝・・・（４）
を意味する演算子である。そして入力ファジーベクトルｘと参照ベクトルｍｉの類似度は、この類似度の差を強調するために、
μｉ＝ｍｉｎｊ｛μｉｊ｝・・・（５）
にて表される各方向の類似度の最小値とする。すなわち、式（３）はｘのｊ軸方向成分のファジー数のメンバシップ関数ｈｘｊ（ｕｊ）と、ｉ番目の参照ベクトルｍｉのメンバシップ関数ｈｍｉｊ（ｕｊ）の論理積が最大値となるときの、入力ファジーベクトルｘと参照ベクトルｍｉとのｊ軸方向の類似度を表している（図１（ｂ）参照）。そして各軸方向（カテゴリー）の類似度を演算して、入力ファジーベクトルｘと参照ベクトルｍｉの類似度を式（５）により導くものである。
【００１７】
次に、本発明の学習アルゴリズムについて説明する。学習は、参照ベクトルｍｉの更新という形で行われる。いま、Ｃｘを教師ベクトルデータｘのカテゴリーとし、Ｃｃを最大類似度ベクトルｍｃに属するカテゴリーとする。そのとき、学習回数ｔにおいて、教師ベクトルデータであるＣｘを用いて、次のように参照ベクトルの更新を行う。まず、各カテゴリーの参照ベクトルを入力後、１つ目の入力ファジーベクトルを入力し、参照ベクトルと入力ファジーベクトルの交点の最大値を求め、これらの最大値を肯定学習関数に入力した結果、交点があり且つ学習が正しい場合（Ｃｘ＝Ｃｃの場合）、正答学習を行い参照ベクトルのみを、以下の式（６）により更新し、この更新を各カテゴリーについて同様に行うと共に、クリプス関数値を更新して学習回数を繰り返す。
ｍｃｊ（ｔ＋１）＝β（ｔ）＊ｍｃｊ（ｔ）＋α（ｔ）［｛１−μｃｊ（ｔ）｝＊｛｜ｘｊ（ｔ）−ｍｃｊ（ｔ）｜｝］・・・（６）
（但し、β（ｔ）＝０．９９、α（ｔ）＝０．９９９＊α（ｔ−１）、α（０）＝０．１）尚、α（ｔ）は時間単調減少関数、β（ｔ）は拡張原理に基づく演算による曖昧さの増加を防ぐ減少項である。
また、各カテゴリーの参照ベクトルを入力後、１つ目の入力ファジーベクトルを入力し、参照ベクトルと入力ファジーベクトルの交点の最大値を求め、これらの最大値を肯定学習関数に入力した結果、交点があり且つ学習が正しくない場合、誤答学習を行い交点の値が最大であった音の参照ベクトルのみを、以下の式（７）により更新し、この更新を各カテゴリーについて同様に行うと共に、クリプス関数値を更新して学習回数を繰り返す。
ｍｃｊ（ｔ＋１）＝γ（ｔ）＊ｍｃｊ（ｔ）−α（ｔ）［｛１−μｃｊ（ｔ）｝＊｛｜ｘｊ（ｔ）−ｍｃｊ（ｔ）｜｝］・・・（７）
（但し、α（ｔ）＝０．９９９＊α（ｔ−１）、α（０）＝０．１、γ（ｔ）＝１−α（ｔ））尚、γ（ｔ）は拡張原理に基づく演算による曖昧さの増加を防ぐ減少項である。
【００１８】
また、各カテゴリーの参照ベクトルを入力後、１つ目の入力ファジーベクトルを入力し、参照ベクトルと入力ファジーベクトルの交点の最大値を求め、これらの最大値を肯定学習関数に入力した結果、交点がない場合、全ての参照ベクトルをｍｉｊ（ｔ＋１）＝δ（ｔ）＊ｍｉｊ（ｔ）（ｉ＝１，・・・，ｋ）（但し、δ（ｔ）＝１．１）により更新し、この更新を各カテゴリーについて同様に行うと共に、クリプス関数値を更新して学習回数を繰り返す。尚、δ（ｔ）は曖昧さの増加項である。
また、Ｆ＝（ｆ，ｐ，ｑ）を中心から左右の幅がｐ，ｑである三角形のファジー数としたとき＊印は次のような演算を表す。
ａ＊Ｆ＝（ｆ，ａｐ，ｐｑ）・・・（８）（但し、ａはクリスプ値である）
そして学習回数を所定の数繰り返した後、入力ファジーベクトルを入力し、各カテゴリーの参照ベクトルと入力ファジーベクトルとの交点を求め、この交点の最大値を認識結果として表示する。
【００１９】
図３は本発明の実施形態に係るバイタルサイン計測システムの概略構成図である。このバイタルサイン計測システムは、被験者１と、この被験者１の脳波（６チャネル）を測定するための脳波計２と、被験者１の血流（１チャネル）を測定する血流計３と、被験者１の心電（１チャネル）を測定する心電計４と、各チャネルの信号を纏めるコネクタ部５と、このコネクタ部５から出力された各信号（アナログ信号）６をデジタル信号に変換するＡ／Ｄ変換部７と、Ａ／Ｄ変換部７により変換されたデジタル信号８を演算処理するパーソナルコンピュータＰＣ９と、演算結果を表示する表示部１０とを備えて構成される。尚、ＰＣ９は図示しない制御用のプログラムを格納するＲＯＭと、デジタル信号８をサンプリングしてそのデータを一時的に格納するＲＡＭと、データを分析してＦＬＶＱによる演算処理を行う制御部等により構成され、全ての制御手順はＲＯＭ内のプログラムにより処理される。また、表示部１０は液晶、ＣＲＴ、或いはプラズマディスプレイ等の表示装置であればどれでも構わない。
本実施形態では、図３のバイタルサイン計測システムにより、２０代男性６人の被験者に無意味な音（ＦＭノイズ）、不快な音（高周波数ノイズ）、心地よい音（和音）を聞かせたときの感情（感覚）の変化を認識する実験を行った。図４は、その測定手順を示すフローチャートである。この例では無意味な音を「音１」、不快な音を「音２」、心地よい音を「音３」とした。まず、「音１」をセットし（Ｓ１）、１０秒間何も聞かせない状態で８チャネルのデータ（負荷前データ）をＰＣ９のメモリに記憶する（Ｓ２）。次に、１０秒間「音１」を聞かせた状態で８チャネルのデータ（負荷状態データ）をＰＣ９のメモリに記憶する（Ｓ３）。次にステップＳ１と同様に１０秒間何も聞かせない状態で８チャネルのデータ（負荷後データ）をＰＣ９のメモリに記憶する（Ｓ４）。そして１０分間休憩をとり（Ｓ５）、全ての音が終了したかを確認し（Ｓ６）、終了していなければ（Ｓ６でＮＯのルート）次の「音２」をセットして（Ｓ７）、ステップＳ２に戻って繰り返す。ステップＳ７で「音３」をセットして各データの取得が終了するとステップＳ６でＹＥＳとなり、１セットの実験が終了する（Ｓ８）。本実施形態ではこれを３セット繰り返した。そして全てのセットの実験が完了して（Ｓ９でＹＥＳのルート）実験を終了する。
尚、本実験では、音を聞いたときの被験者の心理状態は被験者本人に確認してみなければ分からないため、計測のインターバル１０分間（ステップＳ５）のときに、今聞いた音が不快だったかどうかを直接被験者に聞いて、図５の「ＲＳＰ実施試験記入用紙」に記入してもらい、その不快度を数値として表している。この方法は、ガン患者のその日の状態を今回と同じようなアンケートを使って数値で表し、鎮痛剤の量を決める指針として使われている。
【００２０】
図６は、本実施形態の各チャネルの波形の一例を示す図である。この例では、チャネル１、２、５、６、９、１０が脳波形の各部の波形であり、他のチャネルに心電計と血圧値の波形を示す。この図でＡ領域の波形は負荷前状態の波形であり、Ｂ領域は負荷を与えた状態の波形であり、Ｃ領域は負荷後状態の波形である。尚、本発明の実施形態では、図６の脳波のデータは使用せず、心電と血流データから後述する図７の比較項目を設けてデータを演算した。
図７は、本発明のＦＬＶＱ法と実際のバイタルサインデータとが、どのように関わっているかを表にしたものである。例えば、比較項目は、心電データとして「聞く前」ｊ＝１、「聞いている最中」ｊ＝２、「聞いた後」ｊ＝３、「聞く前の変動差」ｊ＝４、「聞いている最中の変動差」ｊ＝５、「聞いた後の変動差」ｊ＝６、「聞く前と聞いている最中との差」ｊ＝７、「聞く前と聞いた後との差」ｊ＝８とし、血流データとして「聞く前」ｊ＝９、「聞いている最中」ｊ＝１０とした。また、カテゴリーとしては、ｉ＝１：「音１」、ｉ＝２：「音２」、ｉ＝３：「音３」とした。また、軸方向の次元はｘｎ＝ｘ１，ｘ２，・・・，ｘ１０の１０次元とした。そして前述したＦＬＶＱ法により各メンバシップ関数の交点の最大値を求め、入力ベクトルｘｎと参照ベクトルｍｉｊの類似度μｉｊを求める。その結果、例えばカテゴリーｉ＝１：「音１」の場合、「聞く前」ｊ＝１ではｘｎ＝ｘ１、参照ベクトルｍｉｊはｍ１１、類似度μｉｊはμ１１となる。このように全ての次元とカテゴリーに各比較項目をあてはめると図７のようになり、入力ファジーベクトルｘｎと参照ベクトルｍｉｊの類似度は、この類似度の差を強調するために、式（５）にて表される各方向の類似度の最小値とする。この値が各カテゴリーに対する被験者の意思となる。
【００２１】
図８〜１０は本発明のＦＬＶＱ法によるデータ処理プログラムの手順を示すフローチャートである。先ず音１〜３の参照データｍｉｊを入力する（Ｓ１１）。そして所定の学習回数ｔに到達したか否かをチエックし（Ｓ１２）、到達していなければ（Ｓ１２でＮＯのルート）、１つ目（音１）の教師（入力）データを入力する（Ｓ１３）。次に入力した音１〜３の参照データｍｉｊと音１の教師（入力）データの交点を求め（Ｓ１４）、音１〜３でその交点の最大値を求め（Ｓ１５）、これらのデータを肯定学習関数（式６）に入力する（Ｓ１６）。その結果、交点がない場合（Ｓ１７でＮＯのルート）全ての参照ベクトルをｍｉｊ（ｔ＋１）＝γ（ｔ）＊ｍｉｊ（ｔ）（ｉ＝１，・・・，ｋ）（但し、γ（ｔ）＝１．１）により更新し（Ｓ１８）、ステップＳ２２に進む。ステップＳ１７で交点がある場合（Ｓ１７でＹＥＳのルート）、ステップＳ１９に進みこの学習が正しいか否かを判断し（Ｓ１９）、正しい場合は（Ｓ１９でＹＥＳのルート）、正答学習を行い参照ベクトルのみをｍｃｊ（ｔ＋１）＝β（ｔ）＊ｍｃｊ（ｔ）＋α（ｔ）［｛１−μｃｊ（ｔ）｝＊｛｜ｘｊ（ｔ）−ｍｃｊ（ｔ）｜｝］（但し、β（ｔ）＝０．９９、α（ｔ）＝０．９９９＊α（ｔ−１）、α（０）＝０．１）により更新し（Ｓ２０）、ステップＳ２２に進む。ステップＳ１９で学習が正しくない場合（Ｓ１９でＮＯのルート）、誤答学習を行い交点の値が最大であった音の参照ベクトルのみをｍｃｊ（ｔ＋１）＝γ（ｔ）＊ｍｃｊ（ｔ）−α（ｔ）［｛１−μｃｊ（ｔ）｝＊｛｜ｘｊ（ｔ）−ｍｃｊ（ｔ）｜｝］（但し、α（ｔ）＝０．９９９＊α（ｔ−１）、α（０）＝０．１、γ（ｔ）＝１−α（ｔ））により更新し（Ｓ２１）、同じくステップＳ２２に進む。ステップＳ２２では上記の演算を音２、３の教師（入力）データについて同様に行い（Ｓ２２）、クリプス関数値を更新して（Ｓ２３）ステップＳ１２から繰り返し、学習回数ｔが所定の回数に到達すると、ステップＳ２４に進んで音１〜３の未知入力データを入力し（Ｓ２４）、ステップＳ２５で音１を選択すると音１参照データと未知音１入力データの交点を求め（Ｓ２６）、求めた交点の最大値を求め（Ｓ３１）、その認識結果を表示部に表示して（Ｓ３２）終了する。また、ステップＳ２７で音２を選択すると音２参照データと未知音２入力データの交点を求め（Ｓ２８）、求めた交点の最大値を求め（Ｓ３１）、その認識結果を表示部に表示して（Ｓ３２）終了する。また、ステップＳ２９で音３を選択すると音３参照データと未知音３入力データの交点を求め（Ｓ３０）、求めた交点の最大値を求め（Ｓ３１）、その認識結果を表示部に表示して（Ｓ３２）終了する。
【００２２】
図１１（ａ）は、同一被験者のデータで学習をし、同一被験者で学習に用いなかったデータを未知データとして認識を行った結果である。図１１（ａ）において、未知音１データは、音１を聞いたであろう可能性が６０．３９パーセント、他の音についてはその可能性が零パーセントなので、この未知音１は音１であろうと判断できる。同様に、未知音２データは、音２を聞いたであろう可能性が８９．３５パーセント、音３を聞いたであろう可能性が１２．８３パーセント、音１を聞いたであろう可能性は零パーセントである。したがって、未知音２データは、音２を聞いたであろうと判断できる。同様に、未知音３データは、音３を聞いたであろう可能性が７５．２８パーセント、音１を聞いたであろう可能性が７．２４パーセント、音２を聞いたであろう可能性は零パーセントである。したがって、未知音３データは、音３を聞いたであろうと判断できる。
ここで、このデータは同じ被験者に日時を変えて同じ実験を行ってデータを採取しており、そのデータのうち１つを参照ベクトル、それ以外を入力ベクトルとして用いる。ただし、学習に用いたデータ（ベクトル）を未知のデータとして使うわけにはいかないので、日時を変えて行ったデータの中から、少なくとも１つは学習にも参照ベクトルにも用いないデータ（未知データ）として取っておき、それにより、同一人物ならいつでも同じような認識ができるかどうかの試験を行っている。また学習とは、図７で述べた各比較項目について、音１を聞いたら各比較項目がこんな変化（値）を持ちなさいという学習を前述の式（６）、（７）により行っている。つまり、図２のｍｉｊの三角形を変化させ、そして、学習終了後に未知データのｘｉを入力し一番大きなμｉを求めている。
図１１（ｂ）は、同一被験者のデータにより学習をし、学習した被験者とは異なった被験者データを未知データとして認識を行った結果である。図１１（ａ）の場合と比較して未知音２の可能性が多少悪いが、他の音の可能性パーセンテージと比較して７５パーセント前後と高い可能性が得られているので、図１１（ａ）と同様に高い認識結果が得られている。これらの結果から、同一被験者で同じ音源負荷を聞いたという識別が出来る可能性があることと、異なった被験者でも同じ音源負荷を聞いたという識別が出来る可能性があることが分かった。また、より安価なバイタルサイン（心電データと血流データ）での評価を用いて、高価な脳波データでの評価と同等に近い安定的な認識が出来る可能性があることも分かった。
【００２３】
【発明の効果】
以上記載のごとく請求項１、１２の発明によれば、被験者のバイタルサイン情報の変化を演算処理部により演算して分類整理するので、被験者の潜在的若しくは顕在的な心理変化を客観的に読み取ることができる。
また請求項２、１３では、ファジー学習ベクトル量子化法（ＦＬＶＱ）により、類似度の差を強調するために、軸方向類似度の最小値を前記被験者の意思として認識するので、多くの次元から得た入力ファジーベクトルから１つの結論を導いてより正確な被験者の意思を認識することができる。
また請求項３、１４では、ファジー数のメンバシップ関数とｉ番目の参照ベクトルのメンバシップ関数の論理積の最大値が、入力ファジーベクトルｘと参照ベクトルｍｉとのｊ軸方向の類似度となるので、この類似度の差を強調するために、各軸方向の類似度の最小値を被験者の意思として認識することができる。
また請求項４、１５では、心電データとして８項目、血流データとして２項目の計１０項目を比較項目とするので、比較的簡単なバイタルサインデータから類似度の演算を行うことができ、システムのコストを低減することができる。
また請求項５、１６では、音源として無意味な音、不快な音、及び心地よい音を使用するので、データの信頼性が高くなり、被験者が代わっても同じ傾向の結果を引き出すことができる。
また請求項６、１７では、カテゴリーｉを３、参照ベクトルｍｉｊ、次元数ｎを１０により演算を行うので、各カテゴリーごとに各軸方向の類似度の最小値を被験者の意思として認識することができる。
また請求項７、１８では、３種類の音源による聞く前、聞いている最中、聞いた後のバイタルサインデータを同じ条件で取得するので、データの信頼性が高まると共に、再現性のある測定方法を確立することができる。
また請求項８、１９では、正答学習の場合、ｍｃｊ（ｔ＋１）＝β（ｔ）＊ｍｃｊ（ｔ）＋α（ｔ）により参照ベクトルの更新を行うので、学習により正答した場合メンバシップ関数のグレードを高めることができる。
【００２４】
また請求項９、２０では、参照ベクトルと入力ファジーベクトルの交点の最大値を肯定学習関数に入力した結果、交点がない場合、ｍｉｊ（ｔ＋１）＝δ（ｔ）＊ｍｉｊ（ｔ）（ｉ＝１，・・・，ｋ）により全ての参照ベクトルの更新を行うので、学習が正しいか否かを判断する必要がなくなり、計算結果を速く出力することができる。
また請求項１０、２１では、誤答学習の場合、ｍｃｊ（ｔ＋１）＝γ（ｔ）＊ｍｃｊ（ｔ）−α（ｔ）［｛１−μｃｊ（ｔ）｝＊｛｜ｘｊ（ｔ）−ｍｃｊ（ｔ）｜｝］により参照ベクトルの更新を行うので、学習により誤答した場合メンバシップ関数のグレードを低くすることができる。
また請求項１１、２２では、学習後の参照ベクトルと入力ファジーベクトルの類似度の交点の最大値を認識結果とするので、認識結果の精度を高めることができる。
また請求項２３では、本発明のバイタルサイン計測方法をコンピュータが制御可能なＯＳに従ってプログラミングすることにより、そのＯＳを備えたコンピュータであれば同じ処理方法により制御することができる。
また請求項２４では、バイタルサイン計測プログラムをコンピュータが読み取り可能な形式で記録媒体に記録することにより、この記録媒体を持ち運ぶことにより何処でもプログラムを稼動することができる。
【図面の簡単な説明】
【図１】（ａ）はメンバシップ関数の最大値が１となる正規三角ファジー数の図、（ｂ）は２つのファジー数間の類似度を表す図。
【図２】ＦＬＶＱの基本単位であるＰＥ（Ｐｒｏｃｅｓｓｉｎｇ  Ｅｌｅｍｅｎｔ）を説明する図。
【図３】本発明の本発明の実施形態に係るバイタルサイン計測システムの概略構成図。
【図４】本発明の測定手順を示すフローチャート。
【図５】本発明の「ＲＳＰ実施試験記入用紙」の例を示す図。
【図６】本発明の実施形態の各チャネルの波形の一例を示す図。
【図７】本発明のＦＬＶＱ法と実際のバイタルサインデータとが、どのように関わっているかを表にした図。
【図８】本発明のＦＬＶＱ法によるデータ処理プログラムの手順を示すフローチャート（その１）。
【図９】本発明のＦＬＶＱ法によるデータ処理プログラムの手順を示すフローチャート（その２）。
【図１０】本発明のＦＬＶＱ法によるデータ処理プログラムの手順を示すフローチャート（その３）。
【図１１】（ａ）は、同一被験者のデータで学習をし、同一被験者で学習に用いなかったデータを未知データとして認識を行った結果の図、（ｂ）は同一被験者のデータにより学習をし、学習した被験者とは異なった被験者データを未知データとして認識を行った結果の図。
【符号の説明】
１  被験者、２  脳波計、３  血流計、４  心電計、５  コネクタ部、６  アナログ信号、７  Ａ／Ｄ変換部、８  デジタル信号、９  パーソナルコンピュータ（ＰＣ）、１０  表示部
【図１】
2004337294.tif 000003
【図２】
2004337294.tif 000004
【図３】
2004337294.tif 000005
【図４】
2004337294.tif 000006
【図５】
2004337294.tif 000007
【図６】
2004337294.tif 000008
【図７】
2004337294.tif 000009
【図８】
2004337294.tif 000010
【図９】
2004337294.tif 000011
【図１０】
2004337294.tif 000012
【図１１】
2004337294.tif 000013